(57)【特許請求の範囲】
【請求項１】
ＧＰＳ衛星を検索したＧＰＳ衛星検索結果や周辺基地局を検索した基地局検索結果を位置情報サーバに送信するように構成され、無線通信端末から受信されたＧＰＳ衛星検索結果や基地局検索結果を利用して前記無線通信端末の位置を特定するように構成された位置情報サーバと共に位置特定システムを構築する無線通信端末であって、
ＧＰＳ時刻を取得するＧＰＳ時刻取得手段と、
通信基地局が保持しているシステム時刻を取得するシステム時刻取得手段と、
前記ＧＰＳ時刻取得手段により取得されたＧＰＳ時刻と、前記システム時刻取得手段により取得されたシステム時刻とを比較する制御手段とを備え、
前記制御手段は、ＧＰＳ時刻とシステム時刻との差が所定値を越えているときには、前記位置情報サーバにおける基地局検索結果を利用した自端末の位置の特定を禁止させることを特徴とする無線通信端末。
【請求項２】
請求項１記載の無線通信端末において、
前記制御手段は、送信手段から基地局検索結果を前記位置情報サーバに送信させることを禁止することによって、前記位置情報サーバにおける基地局検索結果を利用した自端末の位置の特定を禁止させることを特徴とする無線通信端末。
【請求項３】
請求項１記載の無線通信端末において、
前記制御手段は、送信手段から基地局検索結果を前記位置情報サーバに送信させると共に、前記送信手段から同期ずれしている旨を表す信号を前記位置情報サーバに送信させることによって、前記位置情報サーバにおける基地局検索結果を利用した自端末の位置の特定を禁止させることを特徴とする無線通信端末。
【請求項４】
ＧＰＳ衛星を検索したＧＰＳ衛星検索結果や周辺基地局を検索した基地局検索結果を位置情報サーバに送信するように構成され、無線通信端末から受信されたＧＰＳ衛星検索結果や基地局検索結果を利用して前記無線通信端末の位置を特定するように構成された位置情報サーバと共に位置特定システムを構築する無線通信端末であって、
各基地局から当該基地局が同期ずれしているか否かを表す同期ずれ情報を受信する同期ずれ情報受信手段と、
各基地局から前記同期ずれ情報受信手段により受信された同期ずれ情報を記憶する同期ずれ情報記憶手段と、
前記同期ずれ情報記憶手段に記憶されている同期ずれ情報を判定する制御手段とを備え、
前記制御手段は、周辺基地局に対して前記同期ずれ情報記憶手段に記憶されている同期ずれ情報を判定し、同期ずれしていない周辺基地局の局数が所定局数に達していないときには、前記位置情報サーバにおける基地局検索結果を利用した自端末の位置の特定を禁止させることを特徴とする無線通信端末。
【請求項５】
ＧＰＳ衛星を検索したＧＰＳ衛星検索結果や周辺基地局を検索した基地局検索結果を位置情報サーバに送信するように構成され、無線通信端末から受信されたＧＰＳ衛星検索結果や基地局検索結果を利用して前記無線通信端末の位置を特定するように構成された位置情報サーバと共に位置特定システムを構築する無線通信端末であって、
ＧＰＳ時刻を取得するＧＰＳ時刻取得手段と、
各基地局が保持しているシステム時刻を取得するシステム時刻取得手段と、
各基地局が同期ずれしているか否かを表す同期ずれ情報を記憶する同期ずれ情報記憶手段と、
前記ＧＰＳ時刻取得手段により取得されたＧＰＳ時刻と、前記システム時刻取得手段により取得されたシステム時刻とを比較すると共に、前記同期ずれ情報記憶手段に記憶されている同期ずれ情報を判定する制御手段とを備え、
前記制御手段は、ＧＰＳ時刻とシステム時刻との差が所定値を越えている基地局が存在するときには、当該基地局が同期ずれしている旨を前記同期ずれ情報記憶手段に記憶させると共に、周辺基地局に対して前記同期ずれ情報記憶手段に記憶されている同期ずれ情報を判定し、同期ずれしていない周辺基地局の局数が所定局数に達していないときには、前記位置情報サーバにおける基地局検索結果を利用した自端末の位置の特定を禁止させることを特徴とする無線通信端末。
【請求項６】
請求項１ないし５のいずれかに記載の無線通信端末において、
前記制御手段は、送信手段からＧＰＳ衛星検索結果を前記位置情報サーバに送信させることによって、前記位置情報サーバにおけるＧＰＳ衛星検索結果を利用した自端末の位置の特定を許可させることを特徴とする無線通信端末。
【請求項７】
請求項１ないし６のいずれかに記載の無線通信端末と、
前記無線通信端末から受信されたＧＰＳ衛星検索結果や基地局検索結果を利用して前記無線通信端末の位置を特定する位置情報サーバとを備えて構築されることを特徴とする位置特定システム。
【請求項８】
無線通信端末に、
ＧＰＳ時刻を取得させる手順と、
通信基地局が保持しているシステム時刻を取得させる手順と、
ＧＰＳ時刻とシステム時刻とを比較させる手順と、
ＧＰＳ時刻とシステム時刻との差が所定値を越えていると判定されたときに、位置情報サーバにおける基地局検索結果を利用した自端末の位置の特定を禁止させる手順とを実行させるためのコンピュータプログラム。
【請求項９】
無線通信端末に、
各基地局から当該基地局が同期ずれしているか否かを表す同期ずれ情報を受信させる手順と、
各基地局から受信された同期ずれ情報を記憶させる手順と、
周辺基地局に対して記憶されている同期ずれ情報を判定させる手順と、
同期ずれしていない周辺基地局の局数が所定局数に達していないと判定されたときに、位置情報サーバにおける基地局検索結果を利用した自端末の位置の特定を禁止させる手順とを実行させるためのコンピュータプログラム。
【請求項１０】
無線通信端末に、
ＧＰＳ時刻を取得させる手順と、
各基地局が保持しているシステム時刻を取得させる手順と、
ＧＰＳ時刻とシステム時刻とを比較させる手順と、
ＧＰＳ時刻とシステム時刻との差が所定値を越えている基地局が存在すると判定されたときに、当該基地局が同期ずれしている旨を記憶させる手順と、
周辺基地局に対して記憶されている同期ずれ情報を判定させる手順と、
同期ずれしていない周辺基地局の局数が所定局数に達していないと判定されたときに、位置情報サーバにおける基地局検索結果を利用した自端末の位置の特定を禁止させる手順とを実行させるためのコンピュータプログラム。
【請求項１１】
ＧＰＳ衛星を検索したＧＰＳ衛星検索結果や周辺基地局を検索した基地局検索結果を利用して自端末の位置を特定するように構成された無線通信端末であって、
ＧＰＳ時刻を取得するＧＰＳ時刻取得手段と、
通信基地局が保持しているシステム時刻を取得するシステム時刻取得手段と、前記ＧＰＳ時刻取得手段により取得されたＧＰＳ時刻と、前記システム時刻取得手段により取得されたシステム時刻とを比較する制御手段とを備え、
前記制御手段は、ＧＰＳ時刻とシステム時刻との差が所定値を越えているときには、基地局検索結果を利用した自端末の位置の特定を禁止することを特徴とする無線通信端末。
【請求項１２】
ＧＰＳ衛星を検索したＧＰＳ衛星検索結果や周辺基地局を検索した基地局検索結果を利用して自端末の位置を特定するように構成された無線通信端末であって、
各基地局から当該基地局が同期ずれしているか否かを表す同期ずれ情報を受信する同期ずれ情報受信手段と、
各基地局から前記同期ずれ情報受信手段により受信された同期ずれ情報を記憶する同期ずれ情報記憶手段と、
前記同期ずれ情報記憶手段に記憶されている同期ずれ情報を判定する制御手段とを備え、
前記制御手段は、周辺基地局に対して前記同期ずれ情報記憶手段に記憶されている同期ずれ情報を判定し、同期ずれしていない周辺基地局の局数が所定局数に達していないときには、基地局検索結果を利用した自端末の位置の特定を禁止することを特徴とする無線通信端末。
【請求項１３】
ＧＰＳ衛星を検索したＧＰＳ衛星検索結果や周辺基地局を検索した基地局検索結果を利用して自端末の位置を特定するように構成された無線通信端末であって、
ＧＰＳ時刻を取得するＧＰＳ時刻取得手段と、
各基地局が保持しているシステム時刻を取得するシステム時刻取得手段と、
各基地局が同期ずれしているか否かを表す同期ずれ情報を記憶する同期ずれ情報記憶手段と、
前記ＧＰＳ時刻取得手段により取得されたＧＰＳ時刻と、前記システム時刻取得手段により取得されたシステム時刻とを比較すると共に、前記同期ずれ情報記憶手段に記憶されている同期ずれ情報を判定する制御手段とを備え、
前記制御手段は、ＧＰＳ時刻とシステム時刻との差が所定値を越えている基地局が存在するときには、当該基地局が同期ずれしている旨を前記同期ずれ情報記憶手段に記憶させると共に、周辺基地局に対して前記同期ずれ情報記憶手段に記憶されている同期ずれ情報を判定し、同期ずれしていない周辺基地局の局数が所定局数に達していないときには、基地局検索結果を利用した自端末の位置の特定を禁止することを特徴とする無線通信端末。
【請求項１４】
請求項１１ないし１３のいずれかに記載の無線通信端末において、
前記制御手段は、ＧＰＳ衛星検索結果を利用した自端末の位置の特定を許可することを特徴とする無線通信端末。
【請求項１５】
無線通信端末に、
ＧＰＳ時刻を取得させる手順と、
通信基地局が保持しているシステム時刻を取得させる手順と、
ＧＰＳ時刻システム時刻とを比較させる手順と、
ＧＰＳ時刻とシステム時刻との差が所定値を越えていると判定されたときに、基地局検索結果を利用した自端末の位置の特定を禁止させる手順とを実行させるためのコンピュータプログラム。
【請求項１６】
無線通信端末に、
各基地局から当該基地局が同期ずれしているか否かを表す同期ずれ情報を受信させる手順と、
各基地局から受信された同期ずれ情報を記憶させる手順と、
周辺基地局に対して記憶されている同期ずれ情報を判定させる手順と、
同期ずれしていない周辺基地局の局数が所定局数に達していないと判定されたときに、基地局検索結果を利用した自端末の位置の特定を禁止させる手順とを実行させるためのコンピュータプログラム。
【請求項１７】
無線通信端末に、
ＧＰＳ時刻を取得させる手順と、
各基地局が保持しているシステム時刻を取得させる手順と、
ＧＰＳ時刻とシステム時刻とを比較させる手順と、
ＧＰＳ時刻とシステム時刻との差が所定値を越えている基地局が存在すると判定されたときに、当該基地局が同期ずれしている旨を記憶させる手順と、
周辺基地局に対して記憶されている同期ずれ情報を判定させる手順と、
同期ずれしていない周辺基地局の局数が所定局数に達していないと判定されたときに、基地局検索結果を利用した自端末の位置の特定を禁止させる手順とを実行させるためのコンピュータプログラム。
【発明の詳細な説明】
【０００１】
【発明の属する技術分野】
本発明は、ＧＰＳ衛星を検索したＧＰＳ衛星検索結果や周辺基地局を検索した基地局検索結果を位置情報サーバに送信するように構成された無線通信端末、前記無線通信端末と位置情報サーバとを備えて構築される位置特定システムならびに前記無線通信端末にて実行されるコンピュータプログラムに関する。
【０００２】
【発明が解決しようとする課題】
例えば携帯電話機や通信機能を有する携帯情報端末などの無線通信端末の位置を特定する位置特定システムの一つとして、各ＧＰＳ（Ｇｒｏｂａｌ  Ｐｏｓｉｔｉｏｎｉｎｇ  Ｓｙｓｔｅｍ  ）衛星から送信されたＧＰＳ衛星信号や、各基地局から送信された基地局信号を利用するシステムがある。このＧＰＳ衛星信号や基地局信号を利用して携帯電話機の位置を特定するシステムでは、各基地局からの基地局信号の信号遅延量を計算し、各基地局の位置から三角法に基づいて携帯電話機のおおよその位置を特定すると共に、その特定された携帯電話機のおおよその位置で検索し得るＧＰＳ衛星からのＧＰＳ衛星信号の信号遅延量を計算し、各ＧＰＳ衛星の位置から三角法に基づいて携帯電話機の正確な位置を特定するものである。
【０００３】
この場合、携帯電話機が単独で自端末の位置を特定する構成では、携帯電話機に、ＧＰＳ衛星のアルマナック情報や基地局のアルマナック情報を保持させたり、複雑な測位演算を行わせたりする必要があるので、その分、携帯電話機の価格が高騰したり、構成が複雑になるなどの問題がある。このような事情から、携帯電話機が単独で自端末の位置を特定するのではなく、携帯電話機がＧＰＳ衛星を検索したＧＰＳ衛星検索結果や周辺基地局を検索した基地局検索結果を位置情報サーバに送信し、位置情報サーバが携帯電話機から受信されたＧＰＳ衛星検索結果や基地局検索結果を利用して携帯電話機の位置を特定するシステムが考えられている。
【０００４】
ところで、このようなＧＰＳ衛星信号や基地局信号を利用して携帯電話機の位置を特定するシステムでは、携帯電話機の位置を特定するに際して、ある程度の測位精度を維持するために、ＧＰＳ時刻と各基地局が保持しているシステム時刻との間で同期が確立されている必要がある。しかしながら、基地局にてリセットが行われたり或いは設定誤りなどがあると、ＧＰＳ時刻と基地局が保持しているシステム時刻との間で同期ずれが発生する場合がある。そして、ＧＰＳ時刻と基地局が保持しているシステム時刻との間で同期ずれが発生している状態では、携帯電話機の位置を特定したとしても、同期ずれしていることに起因して、精度の低い測位結果しかユーザに提供することができない。つまり、このような状況では、ユーザから見れば、長い時間を待たされた上に精度の低い測位結果しか取得することができず、利便性に劣るものである。
【０００５】
本発明は、上記した事情に鑑みてなされたものであり、その目的は、ユーザが長い時間を待たされた上に精度の低い測位結果しか取得することができないという状況を未然に回避することができ、それによって、利便性を高めることができる無線通信端末、位置特定システムならびにコンピュータプログラムを提供することにある。
【０００６】
【課題を解決するための手段】
請求項１に記載した無線通信端末によれば、制御手段は、ＧＰＳ時刻取得手段により取得されたＧＰＳ時刻と、システム時刻取得手段により取得された通信基地局が保持しているシステム時刻とを比較し、それらＧＰＳ時刻とシステム時刻との差が所定値を越えていると、位置情報サーバにおける基地局検索結果を利用した自端末の位置の特定を禁止させるように構成した。
【０００７】
したがって、測位結果の精度を許容し得る値を所定値として設定しておくことによって、通信基地局が保持しているシステム時刻が絶対時刻であるＧＰＳ時刻から測位結果の精度を許容し得る値を越えてずれていると、これ以降、位置情報サーバにおいては、通信基地局から基地局検索結果を受信したとしても、その通信基地局が同期ずれしていることから、その受信された信頼性の低い基地局検索結果を利用して無線通信端末の位置を特定することはない。これによって、ユーザが長い時間を待たされた上に精度の低い測位結果しか取得することができないという状況を未然に回避することができ、利便性を高めることができる。
【０００８】
請求項２に記載した無線通信端末によれば、制御手段は、送信手段から基地局検索結果を位置情報サーバに送信させることを禁止することによって、位置情報サーバにおける基地局検索結果を利用した自端末の位置の特定を禁止させるように構成したので、基地局検索結果の送信を禁止するという簡単な変更によって、簡単に実現することができる。
【０００９】
請求項３に記載した無線通信端末によれば、制御手段は、送信手段から基地局検索結果を位置情報サーバに送信させると共に、送信手段から同期ずれしている旨を表す信号を位置情報サーバに送信させることによって、位置情報サーバにおける基地局検索結果を利用した自端末の位置の特定を禁止させるように構成したので、基地局検索結果を送信するという従来の測位シーケンスを変更することなく、簡単に実現することができる。
【００１０】
請求項４に記載した無線通信端末によれば、同期ずれ情報受信手段は、各基地局から当該基地局が同期ずれしているか否かを表す同期ずれ情報を受信し、同期ずれ情報記憶手段は、各基地局から同期ずれ情報受信手段により受信された同期ずれ情報を記憶し、そして、制御手段は、各周辺基地局に対して同期ずれ情報記憶手段に記憶されている同期ずれ情報を判定し、同期ずれしていない周辺基地局の局数が所定局数に達していないと、位置情報サーバにおける基地局検索結果を利用した自端末の位置の特定を禁止させるように構成した。
【００１１】
したがって、測位結果の精度を許容し得る局数を所定局数として設定しておくことによって、同期ずれしていない正常な周辺基地局の局数が測位結果の精度を許容し得る局数を満たしていないと、これ以降、上記した請求項１に記載したものと同様にして、位置情報サーバにおいては、通信基地局から基地局検索結果を受信したとしても、その基地局検索結果に含まれる周辺基地局の殆どが同期ずれしていることから、その受信された信頼性の低い基地局検索結果を利用して無線通信端末の位置を特定することはない。これによって、ユーザが長い時間を待たされた上に精度の低い測位結果しか取得することができないという状況を未然に回避することができ、利便性を高めることができる。
【００１２】
請求項５に記載した無線通信端末によれば、制御手段は、ＧＰＳ時刻取得手段により取得されたＧＰＳ時刻と、システム時刻取得手段により取得された各基地局が保持しているシステム時刻とを比較し、それらＧＰＳ時刻とシステム時刻との差が所定値を越えている基地局が存在すると、つまり、基地局が保持しているシステム時刻が絶対時刻であるＧＰＳ時刻から所定値を越えてずれている基地局が存在すると、当該基地局が同期ずれしている旨を同期ずれ情報記憶手段に記憶させ、そして、各周辺基地局に対して同期ずれ情報記憶手段に記憶されている同期ずれ情報を判定し、同期ずれしていない周辺基地局の局数が所定局数に達していないと、位置情報サーバにおける基地局検索結果を利用した自端末の位置の特定を禁止させるように構成した。
【００１３】
したがって、この場合も、上記した請求項４に記載したものと同様にして、測位結果の精度を許容し得る局数を所定局数として設定しておくことによって、同期ずれしていない正常な周辺基地局の局数が測位結果の精度を許容し得る局数を満たしていないと、これ以降、位置情報サーバにおいては、通信基地局から基地局検索結果を受信したとしても、その基地局検索結果に含まれる周辺基地局の殆どが同期ずれしていることから、その受信された信頼性の低い基地局検索結果を利用して無線通信端末の位置を特定することはない。これによって、ユーザが長い時間を待たされた上に精度の低い測位結果しか取得することができないという状況を未然に回避することができ、利便性を高めることができる。
【００１４】
請求項６に記載した無線通信端末によれば、制御手段は、送信手段からＧＰＳ衛星検索結果を位置情報サーバに送信させることによって、位置情報サーバにＧＰＳ衛星検索結果を利用した自端末の位置の特定を許可させるように構成したので、位置情報サーバにおいて、基地局検索結果を利用して無線通信端末の位置を特定することができなくとも、ＧＰＳ衛星検索結果を利用して無線通信端末の位置を特定することができる。
【００１５】
請求項７に記載した位置特定システムによれば、請求項１ないし６のいずれかに記載の無線通信端末と、無線通信端末から受信されたＧＰＳ衛星検索結果や基地局検索結果を利用して無線通信端末の位置を特定する位置情報サーバとを備えて構築されているので、上記した請求項１ないし３に記載したものと同様にして、ユーザが長い時間を待たされた上に精度の低い測位結果しか取得することができないという状況を未然に回避することができる。
【００１６】
請求項８に記載したコンピュータプログラムによれば、そのコンピュータプログラムを無線通信端末にインストールして実行させると、ＧＰＳ時刻を取得させる手順と、通信基地局が保持しているシステム時刻を取得させる手順と、ＧＰＳ時刻とシステム時刻とを比較させる手順と、ＧＰＳ時刻とシステム時刻との差が所定値を越えていると判定されたときに、位置情報サーバにおける基地局検索結果を利用した自端末の位置の特定を禁止させる手順とを実行するようになるので、上記した請求項１に記載したものと同様の作用効果を得ることができる。すなわち、測位結果の精度を許容し得る値を所定値として設定しておくことによって、ユーザが長い時間を待たされた上に精度の低い測位結果しか取得することができないという状況を未然に回避することができ、利便性を高めることができる。
【００１７】
請求項９に記載したコンピュータプログラムによれば、そのコンピュータプログラムを無線通信端末にインストールして実行させると、各基地局から当該基地局が同期ずれしているか否かを表す同期ずれ情報を受信させる手順と、各基地局から受信された同期ずれ情報を記憶させる手順と、周辺基地局に対して記憶されている同期ずれ情報を判定させる手順と、同期ずれしていない周辺基地局の局数が所定局数に達していないと判定されたときに、位置情報サーバにおける基地局検索結果を利用した自端末の位置の特定を禁止させる手順とを実行するようになるので、上記した請求項４に記載したものと同様の作用効果を得ることができる。すなわち、測位結果の精度を許容し得る局数を所定局数として設定しておくことによって、ユーザが長い時間を待たされた上に精度の低い測位結果しか取得することができないという状況を未然に回避することができ、利便性を高めることができる。
【００１８】
請求項１０に記載したコンピュータプログラムによれば、そのコンピュータプログラムを無線通信端末にインストールして実行させると、ＧＰＳ時刻を取得させる手順と、各基地局が保持しているシステム時刻を取得させる手順と、ＧＰＳ時刻とシステム時刻とを比較させる手順と、ＧＰＳ時刻とシステム時刻との差が所定値を越えている基地局が存在すると判定されたときに、当該基地局が同期ずれしている旨を記憶させる手順と、周辺基地局に対して記憶されている同期ずれ情報を判定させる手順と、同期ずれしていない周辺基地局の局数が所定局数に達していないと判定されたときに、位置情報サーバにおける基地局検索結果を利用した自端末の位置の特定を禁止させる手順とを実行するようになるので、上記した請求項５に記載したものと同様の作用効果を得ることができる。すなわち、測位結果の精度を許容し得る局数を所定局数として設定しておくことによって、ユーザが長い時間を待たされた上に精度の低い測位結果しか取得することができないという状況を未然に回避することができ、利便性を高めることができる。
【００１９】
請求項１１に記載した無線通信端末によれば、制御手段は、ＧＰＳ時刻取得手段により取得されたＧＰＳ時刻と、システム時刻取得手段により取得された通信基地局が保持しているシステム時刻を比較し、それらＧＰＳ時刻とシステム時刻との差が所定値を越えていると、基地局検索結果を利用した自端末の位置の特定を禁止するように構成した。
【００２０】
したがって、無線通信端末が単独で自端末の位置を特定する構成においても、測位結果の精度を許容し得る値を所定値として設定しておくことによって、通信基地局が保持しているシステム時刻が絶対時刻であるＧＰＳ時刻から測位結果の精度を許容し得る値を越えてずれていると、これ以降、通信基地局から基地局検索結果を受信したとしても、その通信基地局が同期ずれしていることから、その受信された信頼性の低い基地局検索結果を利用して自端末の位置を特定することはない。これによって、ユーザが長い時間を待たされた上に精度の低い測位結果しか取得することができないという状況を未然に回避することができ、利便性を高めることができる。
【００２１】
請求項１２に記載した無線通信端末によれば、同期ずれ情報受信手段は、各基地局から当該基地局が同期ずれしているか否かを表す同期ずれ情報を受信し、同期ずれ情報記憶手段は、各基地局から同期ずれ情報受信手段により受信された同期ずれ情報を記憶し、そして、制御手段は、各周辺基地局に対して同期ずれ情報記憶手段に記憶されている同期ずれ情報を判定し、同期ずれしていない周辺基地局の局数が所定局数に達していないと、基地局検索結果を利用した自端末の位置の特定を禁止するように構成した。
【００２２】
したがって、測位結果の精度を許容し得る局数を所定局数として設定しておくことによって、同期ずれしていない正常な周辺基地局の局数が測位結果の精度を許容し得る局数を満たしていないと、これ以降、上記した請求項１１に記載したものと同様にして、通信基地局から基地局検索結果を受信したとしても、その基地局検索結果に含まれる周辺基地局の殆どが同期ずれしていることから、その受信された信頼性の低い基地局検索結果を利用して自端末の位置を特定することはない。これによって、ユーザが長い時間を待たされた上に精度の低い測位結果しか取得することができないという状況を未然に回避することができ、利便性を高めることができる。
【００２３】
請求項１３に記載した無線通信端末によれば、制御手段は、ＧＰＳ時刻取得手段により取得されたＧＰＳ時刻と、システム時刻取得手段により取得された各基地局が保持しているシステム時刻を比較し、それらＧＰＳ時刻とシステム時刻との差が所定値を越えている基地局が存在すると、つまり、基地局が保持しているシステム時刻が絶対時刻であるＧＰＳ時刻から所定値を越えてずれている基地局が存在すると、当該基地局が同期ずれしている旨を同期ずれ情報記憶手段に記憶させ、そして、各周辺基地局に対して同期ずれ情報記憶手段に記憶されている同期ずれ情報を判定し、その判定結果が所定条件を満たさないと、基地局検索結果を利用した自端末の位置の特定を禁止するように構成した。
【００２４】
したがって、この場合も、上記した請求項１２に記載したものと同様にして、測位結果の精度を許容し得る局数を所定局数として設定しておくことによって、同期ずれしていない正常な周辺基地局の局数が測位結果の精度を許容し得る局数を満たしていないと、これ以降、通信基地局から基地局検索結果を受信したとしても、その基地局検索結果に含まれる周辺基地局の殆どが同期ずれしていることから、その受信された信頼性の低い基地局検索結果を利用して自端末の位置を特定することはない。これによって、ユーザが長い時間を待たされた上に精度の低い測位結果しか取得することができないという状況を未然に回避することができ、利便性を高めることができる。
【００２５】
請求項１４に記載した無線通信端末によれば、制御手段は、ＧＰＳ衛星検索結果を利用した自端末の位置の特定を許可するように構成したので、基地局検索結果を利用して自端末の位置を特定することができなくとも、ＧＰＳ衛星検索結果を利用して自端末の位置を特定することができる。
【００２６】
請求項１５に記載したコンピュータプログラムによれば、そのコンピュータプログラムを無線通信端末にインストールして実行させると、ＧＰＳ時刻を取得させる手順と、通信基地局が保持しているシステム時刻を取得させる手順と、ＧＰＳ時刻システム時刻とを比較させる手順と、ＧＰＳ時刻とシステム時刻との差が所定値を越えていると判定されたときに、基地局検索結果を利用した自端末の位置の特定を禁止させる手順とを実行するようになるので、上記した請求項１１に記載したものと同様の作用効果を得ることができる。すなわち、測位結果の精度を許容し得る値を所定値として設定しておくことによって、ユーザが長い時間を待たされた上に精度の低い測位結果しか取得することができないという状況を未然に回避することができ、利便性を高めることができる。
【００２７】
請求項１６に記載したコンピュータプログラムによれば、そのコンピュータプログラムを無線通信端末にインストールして実行させると、各基地局から当該基地局が同期ずれしているか否かを表す同期ずれ情報を受信させる手順と、各基地局から受信された同期ずれ情報を記憶させる手順と、周辺基地局に対して記憶されている同期ずれ情報を判定させる手順と、同期ずれしていない周辺基地局の局数が所定局数に達していないと判定されたときに、基地局検索結果を利用した自端末の位置の特定を禁止させる手順とを実行するようになるので、上記した請求項１２に記載したものと同様の作用効果を得ることができる。すなわち、測位結果の精度を許容し得る局数を所定局数として設定しておくことによって、ユーザが長い時間を待たされた上に精度の低い測位結果しか取得することができないという状況を未然に回避することができ、利便性を高めることができる。
【００２８】
請求項１７に記載したコンピュータプログラムによれば、そのコンピュータプログラムを無線通信端末にインストールして実行させると、ＧＰＳ時刻を取得させる手順と、各基地局が保持しているシステム時刻を取得させる手順と、ＧＰＳ時刻とシステム時刻とを比較させる手順と、ＧＰＳ時刻とシステム時刻との差が所定値を越えている基地局が存在すると判定されたときに、当該基地局が同期ずれしている旨を記憶させる手順と、周辺基地局に対して記憶されている同期ずれ情報を判定させる手順と、同期ずれしていない周辺基地局の局数が所定局数に達していないと判定されたときに、基地局検索結果を利用した自端末の位置の特定を禁止させる手順とを実行するようになるので、上記した請求項１３に記載したものと同様の作用効果を得ることができる。すなわち、測位結果の精度を許容し得る局数を所定局数として設定しておくことによって、ユーザが長い時間を待たされた上に精度の低い測位結果しか取得することができないという状況を未然に回避することができ、利便性を高めることができる。
【００２９】
【発明の実施の形態】
（第１の実施の形態）
以下、本発明の無線通信端末を、ＧＰＳ（Ｇｒｏｂａｌ  Ｐｏｓｉｔｉｏｎｉｎｇ  Ｓｙｓｔｅｍ  ）衛星信号ならびに基地局信号を利用して携帯電話機の位置を特定するシステムで使用される携帯電話機に適用した第１実施例について、図１ないし図４を参照して説明する。尚、この第１実施例は、主に、本発明でいう請求項１、請求項８、請求項１１ならびに請求項１５に対応するものである。
【００３０】
まず、図２は、位置特定システムの全体の構成を概略的に示している。携帯電話機１は、複数の基地局２から通信基地局を例えば基地局信号の受信電界強度に基づいて決定し、その決定された通信基地局によりＣＤＭＡ（Ｃｏｄｅ  Ｄｉｖｉｓｉｏｎ  Ｍｕｌｔｉｐｌｅ  Ａｃｃｅｓｓ  ）ネットワーク３を通じて位置情報サーバ４との間で各種の情報を送受信する。携帯電話機１ならびに位置情報サーバ４は、ＧＰＳ（Ｇｒｏｂａｌ  Ｐｏｓｉｔｉｏｎｉｎｇ  Ｓｙｓｔｅｍ  ）衛星５からのＧＰＳ衛星信号を受信する。また、位置情報サーバ４は、ＧＰＳ衛星５に関するアルマナック情報ならびに基地局２に関するアルマナック情報を保持している。
【００３１】
図３は、携帯電話機１の機能ブロックを概略的に示している。携帯電話機１は、マイクロコンピュータを主体としてなるＣＰＵ（Ｃｅｎｔｒａｌ  Ｐｒｏｃｅｓｓｉｎｇ  Ｕｎｉｔ  ）６（本発明でいう制御手段）に、ＧＰＳ衛星５を検索するＧＰＳ無線部７（本発明でいうＧＰＳ時刻取得手段）と、基地局２を検索すると共に、位置情報サーバ４との間でＣＤＭＡネットワーク３を通じて情報を送受信するＣＤＭＡ無線部８（本発明でいうシステム時刻取得手段、送信手段）と、マイクロホン９から入力した送話音声やスピーカ１０から出力する受話音声を処理する音声処理部１１と、「通話開始」キー、「通話終了」キー、「０」〜「９」の「数字」キーなどの多数のキーを配列したキーパッドから構成される操作部１２と、日付・時刻や電話番号などを表示する液晶ディスプレイから構成される表示部１３と、ＲＡＭ  （Ｒａｎｄｏｍ  Ａｃｃｅｓｓ  Ｍｅｍｏｒｙ  ）やＲＯＭ（Ｒｅａｄ  Ｏｎｌｙ  Ｍｅｍｏｒｙ）から構成される記憶部１４とが接続された構成となっている。尚、この場合、操作部１２は、表示部１３に表示されるタッチパネル型のものであっても良く、また、ＧＰＳ無線部７のアンテナとＣＤＭＡ無線部８のアンテナとを兼用する構成であっても良い。
【００３２】
次に、上記した構成の作用について、図１ならびに図４を参照して説明する。まず、携帯電話機１において、ＣＰＵ６は、図１に示すように、例えばユーザによる測位開始の指示を検出したり或いはＣＤＭＡネットワーク３からの測位開始の指示を検出し、測位開始の要求を受付けると、ＣＤＭＡ無線部８から測位要求を位置情報サーバ４に送信させる。位置情報サーバ４は、携帯電話機１から測位要求を受信すると、測位を実行可能であるか否かを判定し、測位を実行可能であると判定すると、測位応答を携帯電話機１に送信する。
【００３３】
携帯電話機１において、ＣＰＵ６は、位置情報サーバ４から測位応答をＣＤＭＡ無線部８により受信すると、通信基地局２の周辺に位置する周辺基地局２を検索する（ステップＳ１０１）。そして、ＣＰＵ６は、ＣＤＭＡ無線部８から周辺基地局２を検索した基地局検索結果を位置情報サーバ４に送信させる。
【００３４】
位置情報サーバ４は、携帯電話機１から基地局検索結果を受信すると、その受信された基地局検索結果に基づいて測位基準点を設定し、基準基地局２を特定する。そして、位置情報サーバ４は、基地局２のアルマナック情報を参照し、携帯電話機１から受信された基地局検索結果に基づいて各周辺基地局２の緯度ならびに経度を取得すると共に、基準基地局２からの基地局信号の信号遅延量を基準とした各周辺基地局２からの基地局信号の信号遅延量の相対関係に基づいて各周辺基地局２との間の擬似距離を計算し、携帯電話機１のおおよその位置を特定する（ステップＳ２０１）。そして、位置情報サーバ４は、携帯電話機１がＧＰＳ衛星を検索するための検索タイミングならびに検索時間を設定し、それら設定された検索タイミングならびに検索時間を含むアシスト情報を携帯電話機１に送信する。
【００３５】
さて、ここで、携帯電話機１において、ＣＰＵ６は、位置情報サーバ４からアシスト情報をＣＤＭＡ無線部８により受信すると、ＧＰＳ衛星５からＧＰＳ衛星信号をＧＰＳ無線部７により受信させ（ステップＳ１０２）、その受信されたＧＰＳ衛星信号をＧＰＳ無線部７に復調させてＧＰＳ時刻を取得させる（ステップＳ１０３）。次いで、ＣＰＵ６は、その取得されたＧＰＳ時刻と、通信基地局２から取得されたシステム時刻との差を計算し、ＧＰＳ時刻と通信基地局２が保持しているシステム時刻との差を所定値と比較する（ステップＳ１０４）。尚、ここでいう所定値とは、測位結果の精度を許容し得る値であり、携帯電話機１が学習機能を利用して最適な値に自動的に決定したり、また、ユーザが要求する精度のレベルに応じて決定するものである。
【００３６】
そして、ＣＰＵ６は、ＧＰＳ時刻と通信基地局２が保持しているシステム時刻との差が所定値を越えていないと（ステップＳ１０４にて「ＮＯ」）、これ以降、通常の処理を行う（ステップＳ１０５）。すなわち、ＣＰＵ６は、これ以降、ＧＰＳ衛星５を検索すると共に、通信基地局２から報告された周辺基地局情報に基づいて周辺基地局２を再度検索し、ＣＤＭＡ無線部８からＧＰＳ衛星を検索したＧＰＳ衛星検索結果と周辺基地局２を再度検索した基地局検索結果との双方を位置情報サーバ４に送信させる。
【００３７】
これに対して、ＣＰＵ６は、ＧＰＳ時刻と通信基地局２が保持しているシステム時刻との差が所定値を越えていると（ステップＳ１０４にて「ＹＥＳ」）、これ以降、ＧＰＳ衛星５を検索するが（ステップＳ１０６）、通信基地局２から報告された周辺基地局情報に基づいて周辺基地局２を再度検索することはなく、ＣＤＭＡ無線部８からＧＰＳ衛星５を検索したＧＰＳ衛星検索結果のみを位置情報サーバ４に送信させる。そして、位置情報サーバ４は、携帯電話機１からＧＰＳ衛星検索結果のみを受信すると、携帯電話機１から受信されたＧＰＳ衛星検索結果のみを利用して測位演算を行い、携帯電話機１の位置を特定し（ステップＳ２０２）、ＧＰＳ衛星検索結果のみを利用して特定された携帯電話機１の位置を測位結果として携帯電話機１に送信する。
【００３８】
このような制御によって、携帯電話機１は、ＧＰＳ時刻と通信基地局２が保持しているシステム時刻との差が所定値を越えていると、ＧＰＳ時刻が絶対的な時刻であることから、そのシステム時刻を送信した通信基地局２が同期ずれしていると判定し、これ以降、その同期ずれしていると判定された通信基地局２から報告された周辺基地局情報に基づいて周辺基地局２を検索することはなく、ＧＰＳ衛星５を検索したＧＰＳ衛星検索結果のみを位置情報サーバ４に送信する。これを受けて、位置情報サーバ４は、携帯電話機１から受信されたＧＰＳ衛星検索結果のみを利用して携帯電話機１の位置を特定する。
【００３９】
尚、携帯電話機１において、ＧＰＳ時刻と通信基地局２が保持しているシステム時刻との差が所定値を越えているときに、図４に示すように、ＧＰＳ衛星５を検索した後に、通信基地局２から報告された周辺基地局情報に基づいて周辺基地局２を再度検索し（ステップＳ１０７）、ＧＰＳ衛星５を検索したＧＰＳ衛星検索結果と周辺基地局２を検索した基地局検索結果との双方を位置情報サーバ４に送信すると共に、通信基地局２が同期ずれしている旨を表す同期ずれ信号を位置情報サーバ４に送信することも可能であり、この場合、位置情報サーバ４は、携帯電話機１から同期ずれ信号を受信することによって、基地局検索結果を利用することなく、ＧＰＳ衛星検索結果のみを利用して携帯電話機１の位置を特定することになる。
【００４０】
また、携帯電話機１において、ＧＰＳ時刻と通信基地局２が保持しているシステム時刻との差が所定値を越えているときに、ＧＰＳ衛星５を検索することを選択的に行うことも可能であり、つまり、ＧＰＳ衛星５を検索することを禁止すれば、位置情報サーバ４は、携帯電話機１からＧＰＳ衛星検索結果が受信されないことによって、携帯電話機１の位置の特定を強制的に中止することになる。
【００４１】
ところで、以上は、位置情報サーバ４が携帯電話機１の位置を特定する場合を説明したものであるが、携帯電話機１が単独で自端末の位置を特定する場合についても、これと同様の処理を行う。すなわち、携帯電話機１は、記憶部１４として大容量のメモリを搭載することによって、ＧＰＳ衛星５に関するアルマナック情報ならびに基地局２に関するアルマナック情報を保持しており、単独で自端末の位置を特定可能に構成されている場合は、ＧＰＳ時刻と通信基地局２が保持しているシステム時刻との差が所定値を越えていないと、ＧＰＳ衛星５を検索したＧＰＳ衛星検索結果と周辺基地局２を検索した基地局検索結果との双方を利用して自端末の位置を特定することになり、これに対して、ＧＰＳ時刻と通信基地局２が保持しているシステム時刻との差が所定値を越えていると、ＧＰＳ衛星５を検索したＧＰＳ衛星検索結果のみを利用して自端末の位置を特定することになる。
【００４２】
以上に説明したように第１実施例によれば、携帯電話機１において、ＧＰＳ衛星５から取得されたＧＰＳ時刻と、通信基地局２が保持しているシステム時刻との差が所定値を越えていると、位置情報サーバ４における基地局検索結果を利用した自端末の位置の特定を禁止させるように構成したので、測位結果の精度を許容し得る値を所定値として設定しておくことによって、これ以降、位置情報サーバ４においては、信頼性の低い基地局検索結果を利用して携帯電話機１の位置を特定することはなく、これによって、ユーザが長い時間を待たされた上に精度の低い測位結果しか取得することができないという状況を未然に回避することができ、利便性を高めることができる。
【００４３】
この場合、携帯電話機１において、ＧＰＳ衛星５を検索したＧＰＳ衛星検索結果を位置情報サーバ４に送信することによって、位置情報サーバ４におけるＧＰＳ衛星検索結果を利用した自端末の位置の特定を許可させるように構成したので、位置情報サーバ４においては、基地局検索結果を利用して携帯電話機１の位置を特定することができなくとも、ＧＰＳ衛星検索結果を利用して携帯電話機１の位置を特定することができる。
【００４４】
（第２の実施の形態）
次に、本発明の第２実施例について、図５ないし図９を参照して説明する。尚、上記した第１実施例と同一部分には同一符号を付して説明を省略し、以下、異なる部分について説明する。
【００４５】
上記した第１実施例は、携帯電話機１において、ＧＰＳ時刻と通信基地局２が保持しているシステム時刻との差が所定値を越えているか否かを判定し、ＧＰＳ時刻とシステム時刻との差が所定値を越えていると判定することによって、通信基地局２が同期ずれしたことを判定するように構成したものであるが、これに対して、この第２実施例は、携帯電話機１において、基地局２から当該基地局２が同期ずれしているか否かを表す測位可ビット（同期ずれ情報）を受信することによって、基地局２が同期ずれしたことを判定するように構成したものである。尚、この第２実施例は、主に、本発明でいう請求項４、請求項９、請求項１２ならびに請求項１６に対応するものである。また、この第２実施例では、ＣＤＭＡ無線部８が本発明でいう同期ずれ情報受信手段に相当し、記憶部１４が本発明でいう同期ずれ情報記憶手段に相当する。
【００４６】
この第２実施例においては、基地局２は、図５に示すように、通常の運用状態では、同期ずれが発生したか否かを監視しており（ステップＳ３０１）、同期ずれが発生すると（ステップＳ３０１にて「ＹＥＳ」）、図７に示す同期チャネルメッセージの情報要素の一つである測位可ビットを、同期ずれが発生したことを表すべく「０」に設定し（ステップＳ３０２）、同期チャネルメッセージを携帯電話機１に送信する（ステップＳ３０３）。
【００４７】
そして、基地局２は、同期ずれが解消したか否かを監視し（ステップＳ３０４）、同期ずれが解消すると（ステップＳ３０４にて「ＹＥＳ」）、上記した測位可ビットを、同期ずれが解消したことを表すべく「１」に設定し（ステップＳ３０５）、同期チャネルメッセージを携帯電話機１に送信する（ステップＳ３０６）。基地局２は、これ以降、上記した処理を繰返して行う。
【００４８】
これに対して、携帯電話機１において、ＣＰＵ６は、図６に示すように、基地局２から同期チャネルメッセージをＣＤＭＡ無線部８により受信すると（ステップＳ４０１にて「ＹＥＳ」）、その受信された同期チャネルメッセージから測位可ビットを取得し、測位可ビットを判定する（ステップＳ４０２）。
【００４９】
ここで、ＣＰＵ６は、測位可ビットが「０」に設定されていると、記憶部１４に用意されている図８に示す同期ずれ管理テーブルにアクセスし（ステップＳ４０３）、同期チャネルメッセージを送信した基地局２に同期ずれしている旨を記録済みであるか否かを判定する（ステップＳ４０４）。そして、ＣＰＵ６は、同期チャネルメッセージを送信した基地局２に同期ずれしている旨を記録済みでないと（ステップＳ４０４にて「ＮＯ」）、同期チャネルメッセージを送信した基地局２に同期ずれしている旨を記録する（ステップＳ４０５）。
【００５０】
また、ＣＰＵ６は、測位可ビットが「１」に設定されていると、同期ずれ管理テーブルにアクセスし（ステップＳ４０６）、同期チャネルメッセージを送信した基地局２に同期ずれしている旨を記録済みであるか否かを判定し（ステップＳ４０７）、この場合は、同期チャネルメッセージを送信した基地局２に同期ずれしている旨を既に記録済みであると（ステップＳ４０７にて「ＹＥＳ」）、同期チャネルメッセージを送信した基地局２に同期ずれしていない旨を記録する（ステップＳ４０８）。このようにして、携帯電話機１において、ＣＰＵ６は、各基地局２に対して当該基地局２が同期ずれしているか否かを認識することが可能となる。尚、同期ずれ管理テーブルにて示すように、各基地局２は、固有のＰＮ  （Ｐｓｅｕｄｏ  Ｎｏｉｓｅ）番号により他と区別される。
【００５１】
さて、携帯電話機１において、ＣＰＵ６は、通信基地局２の周辺に位置する周辺基地局２を検索するに際しては、上記した第１実施例に記載したものとは異なって、以下の処理を行う。すなわち、ＣＰＵ６は、図９に示すように、同期ずれ管理テーブルにアクセスし（ステップＳ５０１）、いずれかの周辺基地局２に同期ずれしている旨が記録されているか否かを判定する（ステップＳ５０２）。そして、ＣＰＵ６は、同期ずれしている旨が記録されていないと（ステップＳ５０２にて「ＮＯ」）、その周辺基地局２を測位に使用可能な基地局２であると判定し（ステップＳ５０３）、これに対して、同期ずれしている旨が記録されていると（ステップＳ５０２にて「ＹＥＳ」）、その周辺基地局２を測位に使用不可能な基地局２であると判定する（ステップＳ５０４）。
【００５２】
そして、ＣＰＵ６は、このようにして全ての周辺基地局２に対して測位に使用可能であるか使用不可能であるかを判定し、全ての周辺基地局２に対して判定を終了すると（ステップＳ５０５にて「ＹＥＳ」）、測位に使用可能であると判定した周辺基地局２が所定局数に達して存在するか否かを判定する（ステップＳ５０６）。尚、ここでいう所定局数とは、測位結果の精度を許容し得る局数であり、携帯電話機１が学習機能を利用して最適な値に自動的に決定したり、また、ユーザが要求する精度のレベルに応じて決定するものである。
【００５３】
そして、ＣＰＵ６は、測位に使用可能であると判定した周辺基地局２が所定局数に達して存在すると（ステップＳ５０６にて「ＹＥＳ」）、当該測位に使用可能であると判定した周辺基地局２を検索し、ＣＤＭＡ無線部８から基地局検索結果を位置情報サーバ４に送信させ、これ以降、ＧＰＳ衛星検索結果と基地局検索結果との双方を利用して自端末の位置を特定させるように位置情報サーバ４に指示する（ステップＳ５０７）。これを受けて、位置情報サーバ４は、ＧＰＳ衛星検索結果と基地局検索結果との双方を利用して携帯電話機１の位置を特定する。
【００５４】
これに対して、ＣＰＵ６は、測位に使用可能であると判定した周辺基地局２が所定局数に達して存在しないと判定すると（ステップＳ５０６にて「ＮＯ」）、ＣＤＭＡ無線部８から基地局検索結果を位置情報サーバ４に送信させることはなく、これ以降、ＧＰＳ衛星検索結果のみを利用して自端末の位置を特定させるように位置情報サーバ４を指示する（ステップＳ５０８）。これを受けて、位置情報サーバ４は、ＧＰＳ衛星検索結果のみを利用して携帯電話機１の位置を特定する。尚、この場合は、位置情報サーバ４は、携帯電話機１から周辺基地局２が検索された基地局検索結果が受信されないことから、通信基地局２の位置に基づいて携帯電話機１のおおよその位置を特定することになる。
【００５５】
このような制御によって、携帯電話機１は、同期ずれしていない周辺基地局２の局数が所定局数に達していないと、これ以降、ＧＰＳ衛星５を検索し、ＧＰＳ衛星５を検索したＧＰＳ衛星検索結果のみを位置情報サーバ４に送信し、これを受けて、位置情報サーバ４は、携帯電話機１から受信されたＧＰＳ衛星検索結果のみを利用して携帯電話機１の位置を特定する。
【００５６】
尚、この第２実施例においても、携帯電話機１において、同期ずれしていない周辺基地局２の局数が所定局数に達していないときに、上記した第１実施例に記載したものと同様にして、ＧＰＳ衛星５を検索することを禁止すれば、位置情報サーバ４は、携帯電話機１からＧＰＳ衛星検索結果が受信されないことによって、携帯電話機１の位置の特定を強制的に中止することになる。また、携帯電話機１が単独で自端末の位置を特定する場合も、これと同様の処理を行うものであり、すなわち、同期ずれしていない周辺基地局２の局数が所定局数に達していないと、これ以降、ＧＰＳ衛星５を検索したＧＰＳ衛星検索結果のみを利用して自端末の位置を特定することになる。
【００５７】
以上に説明したように第２実施例によれば、携帯電話機１において、各基地局２から当該基地局２が同期ずれしているか否かを表す同期ずれ情報を受信して記憶し、各周辺基地局２に対して同期ずれ情報を判定し、同期ずれしていない周辺基地局２の局数が所定局数に達していないと、位置情報サーバ４における基地局検索結果を利用した自端末の位置の特定を禁止させるように構成したので、測位結果の精度を許容し得る局数を所定局数として設定しておくことによって、上記した第１実施例に記載したものと同様にして、これ以降、位置情報サーバ４においては、信頼性の低い基地局検索結果を利用して携帯電話機１の位置を特定することはなく、これによって、ユーザが長い時間を待たされた上に精度の低い測位結果しか取得することができないという状況を未然に回避することができ、利便性を高めることができる。
【００５８】
（第３の実施の形態）
次に、本発明の第３実施例について、図１０を参照して説明する。尚、上記した第２実施例と同一部分には同一符号を付して説明を省略し、以下、異なる部分について説明する。
【００５９】
上記した第２実施例は、携帯電話機１において、基地局２から当該基地局２が同期ずれしているか否かを表す測位可ビット（同期ずれ情報）を受信することによって、基地局２が同期ずれしたことを判定するように構成したものであるが、これに対して、この第３実施例は、携帯電話機１において、各基地局２からシステム時刻を取得し、ＧＰＳ時刻と基地局２が保持しているシステム時刻とを比較することによって、基地局２が同期ずれしたことを判定するように構成したものである。尚、この第３実施例は、主に、本発明でいう請求項５、請求項１０、請求項１３ならびに請求項１７に対応するものである。
【００６０】
この第３実施例では、携帯電話機１において、ＣＰＵ６は、図１０に示すように、基地局２から同期チャネルメッセージをＣＤＭＡ無線部８により受信すると（ステップＳ６０１にて「ＹＥＳ」）、その受信された同期チャネルメッセージからシステム時刻（図７中、ＳＹＳ＿ＴＩＭＥ）を取得し（ステップＳ６０２）、ＧＰＳ時刻と基地局２が保持しているシステム時刻との差を計算し、ＧＰＳ時刻と基地局２が保持しているシステム時刻との差を所定値と比較する（ステップＳ６０３）。
【００６１】
ここで、ＧＰＳ時刻と基地局２が保持しているシステム時刻との差が所定値を越えていると（ステップＳ６０３にて「ＹＥＳ」）、記憶部１４に用意されている同期ずれ管理テーブルにアクセスし（ステップＳ６０４）、同期チャネルメッセージを送信した基地局２に同期ずれしている旨を記録済みであるか否かを判定する（ステップＳ６０５）。そして、ＣＰＵ６は、同期チャネルメッセージを送信した基地局２に同期ずれしている旨を記録済みでないと（ステップＳ６０５にて「ＮＯ」）、同期チャネルメッセージを送信した基地局２に同期ずれしている旨を記録する（ステップＳ６０６）。
【００６２】
また、ＣＰＵ６は、ＧＰＳ時刻と基地局２が保持しているシステム時刻との差が所定値を越えていると（ステップＳ６０３にて「ＮＯ」）、同期ずれ管理テーブルにアクセスし（ステップＳ６０７）、同期チャネルメッセージを送信した基地局２に同期ずれしている旨を記録済みであるか否かを判定し（ステップＳ６０８）、この場合は、同期チャネルメッセージを送信した基地局２に同期ずれしている旨を既に記録済みであると（ステップＳ６０８にて「ＹＥＳ」）、同期チャネルメッセージを送信した基地局２に同期ずれしていない旨を記録する（ステップＳ６０９）。このようにして、携帯電話機１において、ＣＰＵ６は、各基地局２に対して当該基地局２が同期ずれしているか否かを認識することが可能となる。
【００６３】
そして、携帯電話機１において、ＣＰＵ６は、通信基地局２の周辺に位置する周辺基地局２を検索するに際しては、上記した第２実施例に記載したものと同様の処理を行い、測位に使用可能であると判定した周辺基地局２が所定局数に達して存在すると、ＧＰＳ衛星検索結果と基地局検索結果との双方を利用して自端末の位置を特定させるように位置情報サーバ４に指示し、これに対して、測位に使用可能であると判定した周辺基地局２が所定局数に達して存在しないと、ＧＰＳ衛星検索結果のみを利用して自端末の位置を特定させるように位置情報サーバ４に指示する。
【００６４】
以上に説明したように第３実施例によれば、携帯電話機１において、ＧＰＳ衛星５から取得されたＧＰＳ時刻と、各基地局２が保持しているシステム時刻との差が所定値を越えていると、当該基地局２が同期ずれしている旨を表す同期ずれ情報を記憶し、各周辺基地局２に対して同期ずれ情報を判定し、同期ずれしていない周辺基地局２の局数が所定局数に達していないと、位置情報サーバ４における基地局検索結果を利用した自端末の位置の特定を禁止させるように構成したので、上記した第２実施例に記載したものと同様にして、測位結果の精度を許容し得る局数を所定局数として設定しておくことによって、これ以降、位置情報サーバ４においては、信頼性の低い基地局検索結果を利用して携帯電話機１の位置を特定することはなく、これによって、ユーザが長い時間を待たされた上に精度の低い測位結果しか取得することができないという状況を未然に回避することができ、利便性を高めることができる。
【００６５】
（その他の実施の形態）
本発明は、上記した実施例にのみ限定されるものでなく、次のように変形または拡張することができる。
無線通信端末は、携帯電話機に限らず、通信機能を有する携帯情報端末などの他のものであっても良い。
ＧＰＳ衛星結果のみを利用して携帯電話機の位置と特定するか、または、携帯電話機の位置の特定を中止するかを、ユーザが選択可能な構成であっても良い。ＣＰＵが実行するコンピュータプログラムは、最初（例えば製品化の段階）から記憶されているものに限らず、例えば特定のサーバからネットワークを通じてダウンロードされたり或いはＣＤ−ＲＯＭ（Ｃｏｍｐａｃｔ  Ｄｉｓｋ−Ｒｅａｄ  Ｏｎｌｙ  Ｍｅｍｏｒｙ）やカードなどの記録媒体から転送されてインストールされるものであっても良い。
【図面の簡単な説明】
【図１】本発明の第１実施例の処理の流れを概略的に示す図
【図２】システムの全体構成を概略的に示す図
【図３】機能ブロック図
【図４】図１相当図
【図５】本発明の第２実施例を示すものであって、基地局側の処理を示すフローチャート
【図６】携帯電話機側の処理を示すフローチャート
【図７】同期チャネルメッセージのフォーマット
【図８】同期ずれ管理テーブルを概略的に示す図
【図９】図６相当図
【図１０】本発明の第３実施例を示すものであって、携帯電話機側の処理を示すフローチャート
【符号の説明】
図面中、１は携帯電話機（無線通信端末）、２は基地局、４は位置情報サーバ、５はＧＰＳ衛星、６はＣＰＵ（制御手段）、７はＧＰＳ無線部（ＧＰＳ時刻取得手段）、８はＣＤＭＡ無線部（システム時刻取得手段、送信手段、同期ずれ情報受信手段）、１４は記憶部（同期ずれ情報記憶手段）である。
【図１】
0003582508.tif 000002
【図２】
0003582508.tif 000003
【図３】
0003582508.tif 000004
【図４】
0003582508.tif 000005
【図５】
0003582508.tif 000006
【図６】
0003582508.tif 000007
【図７】
0003582508.tif 000008
【図８】
0003582508.tif 000009
【図９】
0003582508.tif 000010
【図１０】
0003582508.tif 000011